(57)【要約】【課題】受信した映像データに基づく映像を表示する表示装置の表示性能に比べて、低い映像品質でしか復号できない映像データが送信されているチャンネルが登録されることを防止するための技術を提供する。【解決手段】本発明の放送受信装置は、複数の映像品質の映像データの復号が可能なスケーラブル符号化方式を用いて符号化された映像データを受信する受信手段と、受信した映像データの受信信号品質値を算出する算出手段と、前記受信手段で受信した映像データについて算出された受信信号品質値が、当該映像データを所定の映像品質以上の映像品質で復号可能な受信信号品質値の基準を満たす場合に、当該映像データが送信されているチャンネルを放送受信装置で受信可能なチャンネルとして登録する登録手段と、を有することを特徴とする。【選択図】図２
2011244308.tif 000002
【特許請求の範囲】
【請求項１】
受信した映像データの信号の品質を示す受信信号品質値に応じて、当該映像データが送信されているチャンネルの登録を制御する放送受信装置であって、
複数の映像品質の映像データの復号が可能なスケーラブル符号化方式を用いて符号化された映像データを受信する受信手段と、
受信した映像データの受信信号品質値を算出する算出手段と、
前記受信手段で受信した映像データについて算出された受信信号品質値が、当該映像データを所定の映像品質以上の映像品質で復号可能な受信信号品質値の基準を満たす場合に、当該映像データが送信されているチャンネルを放送受信装置で受信可能なチャンネルとして登録する登録手段と、
を有することを特徴とする放送受信装置。
【請求項２】
前記受信した映像データを復号することで選択可能な複数の映像品質のうち、前記所定の映像品質以上の映像品質で復号するために必要な受信信号品質値を基準値として決定する決定手段を更に有し、
前記登録手段は、前記算出手段で算出された受信信号品質値が前記決定手段で決定された基準値以上である映像データが送信されているチャンネルを、受信可能なチャンネルとして登録する
ことを特徴とする請求項１に記載の放送受信装置。
【請求項３】
前記受信信号品質値は、Ｃ／Ｎ比またはＢＥＲである
ことを特徴とする請求項１または２に記載の放送受信装置。
【請求項４】
前記映像品質とは、解像度の種類、フレームレートの種類、Ｓ／Ｎ比の度合い、画素深度の度合い、色差フォーマットの種類、及び、ＦＧＳか否かの少なくともいずれかによって規定される映像の特性である
ことを特徴とする請求項１〜３のいずれか１項に記載の放送受信装置。
【請求項５】
受信した映像データの信号の品質を示す受信信号品質値に応じて、当該映像データが送信されているチャンネルの登録を制御する放送受信装置の制御方法であって、
複数の映像品質の映像データの復号が可能なスケーラブル符号化方式を用いて符号化された映像データを受信する受信ステップと、
受信した映像データの受信信号品質値を算出する算出ステップと、
前記受信ステップで受信した映像データについて算出された受信信号品質値が、当該映像データを所定の映像品質以上の映像品質で復号可能な受信信号品質値の基準を満たす場合に、当該映像データが送信されているチャンネルを放送受信装置で受信可能なチャンネルとして登録する登録ステップと、
を有することを特徴とする放送受信装置の制御方法。
【発明の詳細な説明】
【技術分野】
【０００１】
本発明は、放送受信装置及びその制御方法に関する。
【背景技術】
【０００２】
地上波デジタル放送などで送信されるデジタル放送信号を受信する放送受信装置には、設置地点においてデジタル放送信号を受信可能な物理チャンネル（以後、チャンネルと記載する）を探索し、登録するチャンネル初期スキャン機能が実装されている。非特許文献１に開示の技術では、受信信号の品質を示すＣ／Ｎ比（Ｃａｒｒｉｅｒ  ｔｏ  Ｎｏｉｓｅ  Ｒａｔｉｏ）もしくはＢＥＲ（Ｂｉｔ  Ｅｒｒｏｒ  Ｒａｔｅ）が登録基準よりも良好なチャンネルがデジタル放送信号を受信可能なチャンネルであると判断される。そして、デジタル放送信号が受信可能と判断されたチャンネルがリモコンキー番号に対応付けられて登録される。また、非特許文献１に開示の技術では、登録基準は、チャンネル毎の伝送パラメータ等によらず、全チャンネルで同一とされている。
【０００３】
ところで、デジタル放送などへの適用を想定して、Ｈ．２６４／ＳＶＣ（Ｓｃａｌａｂｌｅ  Ｖｉｄｅｏ  Ｃｏｄｉｎｇ）のように、複数の異なる解像度やフレームレートなどの階層を選択可能な新しい映像符号化規格が検討されている。Ｈ．２６４／ＳＶＣは、１つのストリーム・データにおいて複数の異なる階層を選択できるようにＨ．２６４／ＡＶＣ（Ａｄｖａｎｃｅｄ  Ｖｉｄｅｏ  Ｃｏｄｉｎｇ）規格を拡張したものである。Ｈ．２６４／ＳＶＣでは、１つのストリーム・データ（映像データ）に含まれる階層の映像データを取り出して復号することができる。また、解像度やフレームレートが低い階層ほど符号化時の冗長性（誤り訂正符号の比率）が高く設定されるため、Ｃ／Ｎ比もしくはＢＥＲが悪い弱電界地域においても、解像度やフレームレートが低い階層の映像データであれば復号可能となる。
【０００４】
放送事業者は、階層構造、階層毎の冗長性をチャンネル毎に自由に設定できる。例えば、映画専門チャンネルのようにより高品質な映像データを提供すべきチャンネルでは、解像度やフレームレートが高い階層を選択可能な階層構造が想定される。また、そのような階層構造では、伝送帯域の制限から、階層毎の冗長性は低めに設定されることが想定される。一方で、公共性の高いチャンネルのようにより安定して受信できる映像データを提供すべきチャンネルでは、階層毎の冗長性が高めに設定されることが想定される。そのような階層構造では、伝送帯域の制限から、解像度やフレームレートが高い階層は選択できないことが想定される。
【０００５】
そのため、全チャンネルで同一の登録基準を用いる従来技術では、放送受信装置に設けられた表示装置の表示性能に比べて低品質な（映像品質の低い）階層の映像データしか復号できないチャンネルが登録される虞がある。そのような映像データを受信したとしても、当該映像データに基づく映像を表示することができなかったり、低品質な映像しか表示することができなかったりしてしまう。
【先行技術文献】
【非特許文献】
【０００６】
【非特許文献１】ＡＲＩＢ  ＴＲ−Ｂ１４  地上デジタルテレビジョン放送運用規定  技術資料  （第二編  地上デジタルテレビジョン放送  受信機機能仕様書  ６．２初期設定）
【発明の概要】
【発明が解決しようとする課題】
【０００７】
本発明は、受信した映像データに基づく映像を表示する表示装置の表示性能に比べて、低い映像品質でしか復号できない映像データが送信されているチャンネルが登録されることを防止するための技術を提供することを目的とする。
【課題を解決するための手段】
【０００８】
本発明の放送受信装置は、受信した映像データの信号の品質を示す受信信号品質値に応じて、当該映像データが送信されているチャンネルの登録を制御する放送受信装置であって、複数の映像品質の映像データの復号が可能なスケーラブル符号化方式を用いて符号化された映像データを受信する受信手段と、受信した映像データの受信信号品質値を算出する算出手段と、前記受信手段で受信した映像データについて算出された受信信号品質値が、当該映像データを所定の映像品質以上の映像品質で復号可能な受信信号品質値の基準を満たす場合に、当該映像データが送信されているチャンネルを放送受信装置で受信可能なチャンネルとして登録する登録手段と、を有することを特徴とする。
【０００９】
本発明の放送受信装置の制御方法は、受信した映像データの信号の品質を示す受信信号品質値に応じて、当該映像データが送信されているチャンネルの登録を制御する放送受信装置の制御方法であって、複数の映像品質の映像データの復号が可能なスケーラブル符号化方式を用いて符号化された映像データを受信する受信ステップと、受信した映像データの受信信号品質値を算出する算出ステップと、前記受信ステップで受信した映像データについて算出された受信信号品質値が、当該映像データを所定の映像品質以上の映像品質で復号可能な受信信号品質値の基準を満たす場合に、当該映像データが送信されているチャンネルを放送受信装置で受信可能なチャンネルとして登録する登録ステップと、を有することを特徴とする。
【発明の効果】
【００１０】
本発明によれば、受信した映像データに基づく映像を表示する表示装置の表示性能に比べて、低い映像品質でしか復号できない映像データが送信されているチャンネルが登録されることを防止することができる。
【図面の簡単な説明】
【００１１】
【図１】本実施形態に係る放送受信装置の機能構成を示すブロック図。
【図２】本実施形態に係る放送受信装置の処理フローの一例を示すフローチャート。
【図３】最低受信解像度と最低受信フレームレートの一例を示す図。
【図４】チャンネルリストの一例を示す図。
【図５】基準値の決定手順の一例を示すフローチャート。
【図６】所要Ｃ／Ｎ比を取得する処理に用いるテーブルの一例を示す図。
【図７】解像度毎の所要Ｃ／Ｎ比の一例を示す図。
【図８】フレームレート毎の所要Ｃ／Ｎ比の一例を示す図。
【発明を実施するための形態】
【００１２】
以下、本発明の実施形態に係る放送受信装置及びその制御方法について説明する。本実施形態に係る放送受信装置は映像データの受信信号の品質を示すデータに応じて、当該映像データが送信されているチャンネルの登録を制御する。
【００１３】
図１は、本実施形態に係る放送受信装置の機能構成を示すブロック図である。
チューナ部１０２は、選局ＣＰＵ部１１０から指定されたチャンネルで送信されているデジタル放送信号１０１を受信し、中間周波数信号を出力する。
デジタル変調復調部１０３は、チューナ部１０２から出力された中間周波数信号をＭＰＥＧ−２  ＴＳ（Ｍｏｖｉｎｇ  Ｐｉｃｔｕｒｅ  Ｅｘｐｅｒｔｓ  Ｇｒｏｕｐ−２  Ｔ
ｒａｎｓｐｏｒｔ  Ｓｔｒｅａｍ）信号へと復調する。
同期検出部１０７は、デジタル変調復調部１０３における同期状態を検出し、選局ＣＰＵ部１１０へ出力する。
受信Ｃ／Ｎ比検出部１０８は、受信したデジタル放送信号の品質を示す受信信号品質値を算出する。具体的には、デジタル変調復調部１０３における復調状態から受信したデジタル放送信号のＣ／Ｎ比（受信Ｃ／Ｎ比）を受信信号品質値として算出し、選局ＣＰＵ部１１０へ出力する。なお、受信信号品質値はＣ／Ｎ比に限らない。例えば、ＢＥＲを受信信号品質値としてもよい。
【００１４】
ＴＳ信号分離部１０４は、デジタル変調復調部１０３で復調されたＭＰＥＧ−２  ＴＳ信号を、映像データ、音声データ、及び、伝送パラメータに分離する。映像データは、複数の映像品質で復号可能なスケーラブル符号化された映像データである。本実施形態では、映像データは、Ｈ．２６４／ＳＶＣで符号化されているものとする。音声データは、例えば、ＡＡＣ（Ａｄｖａｎｃｅｄ  Ａｕｄｉｏ  Ｃｏｄｉｎｇ）で符号化されている。即ち、本実施形態に係る放送受信装置で受信されるデジタル放送信号は、スケーラブル符号化された映像データを含む。
ＰＳＩ情報取得部１０９は、ＴＳ信号分離部１０４で生成された伝送パラメータからＰＳＩ（Ｐｒｏｇｒａｍ  Ｓｐｅｃｉｆｉｃ  Ｉｎｆｏｒｍａｔｉｏｎ）情報を抽出し、選局ＣＰＵ部１１０に出力する。
映像データ復号部１０５は、Ｈ．２６４／ＳＶＣで符号化された映像データから、選局ＣＰＵ部１１０で指定された階層の映像データを選択して復号する。
映像表示部１０６は、映像データ復号部１０５で復号された映像データに基づく映像を表示する。映像表示部１０６は、例えば、液晶素子、プラズマ素子、有機ＥＬ素子、電子放出素子などを有する表示パネルである。なお、映像表示部１０６は、放送受信装置の一部であってもよいし、放送受信装置とは別体の装置であってもよい。
選局ＣＰＵ部１１０は、記憶部１１１に保持されたプログラム及びパラメータに基づいて処理を行う。
【００１５】
本実施形態では、受信Ｃ／Ｎ比検出部１０８で算出されたＣ／Ｎ比が、受信した映像データを所定の映像品質以上の映像品質で復号可能なＣ／Ｎ比である場合に、該受信した映像データが送信されているチャンネルが受信可能なチャンネルとして登録される。以下、図２を用いて具体的な方法の例を説明する。図２は、本実施形態に係る放送受信装置の処理フローの一例を示すフローチャートである。以下では、受信可能なチャンネルを探索して当該チャンネルを登録するチャンネル初期スキャン処理において、ＵＨＦ１３チャンネルから６２チャンネルが順にスキャンされる例を説明する。
【００１６】
ステップＳ１０１では、チューナ部１０２が、選局ＣＰＵ部１１０が指定したチャンネルを選局し、該選局したチャンネルで送信されているデジタル放送信号を受信し、中間周波数信号をデジタル変調復調部１０３に出力する。
【００１７】
ステップＳ１０２では、同期検出部１０７が、デジタル変調復調部１０３の同期状態を検出し、選局ＣＰＵ部１１０へ出力する。同期がロックしていれば、ステップＳ１０３へ進む。ロックしていなければ、選局ＣＰＵ部１１０が選局中のチャンネルにはデジタル放送信号が存在していないと判断し、ステップＳ１０７へ進む。
【００１８】
ステップＳ１０３では、ＴＳ信号分離部１０４が、デジタル変調復調部１０３で復調されたＭＰＥＧ−２  ＴＳ信号を分離し、ＰＳＩ情報取得部１０９が、伝送パラメータからＰＳＩ情報を抽出する。抽出されたＰＳＩ情報は、選局ＣＰＵ部１１０に出力され、ステップＳ１０４の処理（登録基準となるＣ／Ｎ比の決定）やステップＳ１０６の処理（チャンネルの登録）に用いられる。
【００１９】
ステップＳ１０４では、選局ＣＰＵ部１１０が、現在選局しているチャンネルを登録するか否かを判別するための登録基準（基準値）を決定する。
選局ＣＰＵ部１１０は、受信した映像データの選択可能な映像品質（映像の特性）のうち、所定の映像品質以上の映像品質で復号するために最低限必要なＣ／Ｎ比を基準値として決定する。本実施形態では、映像品質が解像度の種類とフレームレートの種類によって規定される場合について説明する。なお、言うまでもなく、解像度はその値が大きい方が映像は高品質であり、フレームレートの値も大きい方が映像は高品質である。
【００２０】
具体的には、選局ＣＰＵ部１１０が、所定の映像品質として、記憶部１１１に保持された受信する映像の解像度及びフレームレートの最低値（最低受信解像度、最低受信フレームレート）を読み出す。なお、最低受信解像度と最低受信フレームレートの値は工場出荷時に予め決定されているものとする。但し、所定の映像品質（最低受信解像度と最低受信フレームレートの値）は、ＧＵＩなどのインタフェースを用いて、ユーザの好みに応じて変更可能であってもよい。それにより、解像度とフレームレートが高い映像をのみを視聴したいユーザや、解像度とフレームレートが低い映像も含めより多くを視聴したいユーザが、好みに応じて最低受信解像度と最低受信フレームレートの値を変更することができる。
図３は放送受信装置（映像表示部）の種別２０１毎の最低受信解像度と最低受信フレームレートの一例である。種別２０１は大画面テレビから携帯端末まで幅広く想定される。また、表示可能な映像の解像度とフレームレートの最大値（最大表示解像度２０２、最大表示フレームレート２０３）は種別２０１によって異なる。最低受信解像度２０４と最低受信フレームレート２０５は、例えば、表示品質を大きく損ねない値に決定される。具体的には、解像度が最低受信解像度２０４未満の映像を表示しようとすると、解像度変換によって拡大された粗い映像が表示されたり、表示面積の小さい映像が表示されたりしてしまう。そこで、最大表示解像度２０２が４Ｋ２Ｋ（４０９６×２１６０ｐｘ（ｐｉｘｅｌ））の大画面テレビに対しては、解像度が最大表示解像度の１／２より低い映像データを受信しないように、最低受信解像度２０４はＨＤ（１９２０×１０８０ｐｘ）に決定される。また、フレームレートが最低受信フレームレート２０５未満の映像を表示しようとすると、動きの速い映像で視聴者に動きのぎこちなさを感じさせてしまう。そこで、最大表示フレームレートが２４０ｆｐｓの大画面テレビに対しては、動きのぎこちなさを感じさせる映像データを受信しないように、最低受信フレームレート２０５は６０ｆｐｓ（ｆｒａｍｅ  ｐｅｒ  ｓｅｃｏｎｄ）に決定される。
次に、選局中のチャンネルで送信されている映像データの階層構造及び階層毎の符号化率から、該チャンネルで最低受信解像度２０４及び最低受信フレームレート２０５以上の映像データを受信（復号）するために必要となるＣ／Ｎ比を決定する。そして、該Ｃ／Ｎ比（所要Ｃ／Ｎ比）を選局中のチャンネルの基準値として決定する。
【００２１】
ステップＳ１０５〜Ｓ１０７では、選局ＣＰＵ部１１０が、受信Ｃ／Ｎ比検出部１０８で算出されたＣ／Ｎ比が上記決定した基準値以上の映像データが送信されているチャンネルを登録する。
ステップＳ１０５では、選局ＣＰＵ部１１０が、選局中のチャンネルの受信Ｃ／Ｎ比と、ステップＳ１０４で決定した該チャンネルの基準値とを比較する。受信Ｃ／Ｎ比が基準値以上であり、基準を満たすのであれば、選局ＣＰＵ部１１０は該チャンネルを登録すると判定し、ステップＳ１０６へ進む。受信Ｃ／Ｎ比が基準値未満であれば、選局ＣＰＵ部１１０は該チャンネルを登録しないと判定し、ステップＳ１０７へ進む。
【００２２】
ステップＳ１０６では、選局ＣＰＵ部１１０が、選局中のチャンネルをチャンネルリストに登録する。
図４はチャンネルリストの一例である。チャンネルリストでは、リモコンキー番号３０
１、チャンネル番号３０２、ｓｅｒｖｉｃｅ＿ｉｄ３０３、ｎｅｔｗｏｒｋ＿ｉｄ３０４、受信Ｃ／Ｎ比３０５などが互いに関連付けられている。チャンネル番号３０２は、放送帯域を表す。ｓｅｒｖｉｃｅ＿ｉｄ３０３は、放送サービスを表す。ｎｅｔｗｏｒｋ＿ｉｄ３０４は、放送事業者毎に割り当てられた識別子である。
選局ＣＰＵ部１１０は、ステップＳ１０３で抽出されたＰＳＩ情報の中のＮＩＴ（Ｎｅｔｗｏｒｋ  Ｉｎｆｏｒｍａｔｉｏｎ  Ｔａｂｌｅ）に含まれるｒｅｍｏｔｅ＿ｃｏｎｔｒｏｌ＿ｋｅｙ＿ｉｄに基づき、放送事業者が望む番号をリモコンキー番号３０１として決定する。また、選局ＣＰＵ部１１０は、ＮＩＴに含まれるｎｅｔｗｏｒｋ＿ｉｄ３０４が同一のチャンネルが既に登録されていた場合、ＭＦＮ（Ｍｕｌｔｉ  ｆｒｅｑｕｅｎｃｙ  Ｎｅｔｗｏｒｋ）により同一放送事業者が異なるチャンネルで同じ番組を放送しているものと判断する。そして、受信Ｃ／Ｎ比３０５がより良好なチャンネルをチャンネルリストに登録する。
【００２３】
ステップＳ１０７では、選局ＣＰＵ部１１０が、次のチャンネルが有るか否かを判断する。次のチャンネルが有る場合は、ステップＳ１０１に戻り、チューナ部１０２が次のチャンネルを選局する。次のチャンネルが無い場合（１３チャンネルから６２チャンネルまでスキャンされた場合）は、チャンネル初期スキャン処理は終了される。
【００２４】
以下、ステップＳ１０４で行う基準値の決定手順の詳細を図５のフローチャートを用いて説明する。
ステップＳ２０１では、ＰＳＩ情報取得部１０９で取得されたＰＳＩ情報から、符号化方式情報、階層構造情報、階層毎の符号化率情報、変調方式情報が取得される。符号化方式情報及び階層構造情報はＰＭＴ（Ｐｒｏｇｒａｍ  Ｍａｐ  Ｔａｂｌｅ）から取得される。符号化方式情報から、映像データが、Ｈ．２６４／ＳＶＣの映像データのように複数の映像品質で復号可能な映像データであることが確認される。階層構造情報から、選択可能な映像品質（解像度およびフレームレート）が確認される。各階層の符号化率（冗長度）情報および変調方式情報はステップＳ２０２の処理で用いられる。
【００２５】
ステップＳ２０２では、符号化率情報（符号化率４０２）及び変調方式情報（変調方式４０１）から、各階層の映像データを復号する際の所要Ｃ／Ｎ比が取得される。図６に、所要Ｃ／Ｎ比を取得する処理に用いるテーブルの一例を示す。このテーブルは、計算機シミュレーションの結果や、本実施形態に係る放送受信装置を実際に動作させて実験的に得られた結果を元に予め作成される。具体的には、計算機シミュレーションでは、理想的なガウス雑音下においてビタビ訂正後の誤り率が２×１０−４以下となるＣ／Ｎ比に対し、放送受信装置内での信号劣化やマルチパスに対するマージンも考慮して最終的な所要Ｃ／Ｎ比が算出される。例えば、主に移動体向け放送で用いられているＱＰＳＫ（Ｑｕａｄｒａｔｕｒｅ  Ｐｈａｓｅ  Ｓｈｉｆｔ  Ｋｅｙｉｎｇ）方式では所要Ｃ／Ｎ比が低く、主に固定受信機向け放送で用いられているＱＡＭ（Ｑｕａｄｒａｔｕｒｅ  ａｍｐｌｉｔｕｄｅ  ｍｏｄｕｒａｔｉｏｎ）方式では所要Ｃ／Ｎ比が高くなる。また、当然のことながら符号化率４０２が高ければ所要Ｃ／Ｎ比も高くなる。
【００２６】
図７，８は、６４ＱＡＭにおける所要Ｃ／Ｎ比をそれぞれ、解像度の階層５０１毎、フレームレートの階層６０１毎に示す図である。具体的には、図７は、解像度毎に、符号化率５０２と取得される所要Ｃ／Ｎ比５０３の一例を示す図である。図８は、フレームレート毎に、符号化率６０２と取得される所要Ｃ／Ｎ比６０３の一例を示す図である。図７，８から、解像度、フレームレートが高いほど所要Ｃ／Ｎ比が高くなるように設定されていることが分かる。
【００２７】
ステップＳ２０３では、基準値が決定される。具体的には、最低受信解像度２０４の映像データを受信するための所要Ｃ／Ｎ比が図７から求められ、最低受信フレームレート２
０５の映像データを受信するための所要Ｃ／Ｎ比が図８から求められる。そして、得られた２つの所要Ｃ／Ｎ比のうち大きいものが、基準値として決定される。
【００２８】
以上述べたように、本実施形態に係る放送受信装置及びその制御方法によれば、受信した映像データの受信Ｃ／Ｎ比が算出される。そして、算出した受信Ｃ／Ｎ比が受信した映像データを所定の映像品質以上の映像品質で復号可能な受信Ｃ／Ｎ比である場合に、該受信した映像データが送信されているチャンネルが受信可能なチャンネルとして登録される。それにより、受信した映像データに基づく映像を表示する表示装置の表示性能に比べて低い映像品質でしか復号できない映像データが送信されているチャンネルが登録されることを防止することができる。
【００２９】
なお、上述したチャンネル初期スキャン処理は、電波状況が変わるたびに実行されてもよい。それにより、携帯端末や車載機器のように電波状況が頻繁に変わる機器において、チャンネルリストを好適に更新することができる。
また、Ｈ．２６４／ＳＶＣでは、解像度及びフレームレートの他に、Ｓ／Ｎ比（Ｓｉｇｎａｌ  ｔｏ  Ｎｏｉｓｅ  Ｒａｔｉｏ）、画素深度（ビット・デプス）、色差フォーマット、ＦＧＳ（Ｆｉｎｅ  Ｇｒａｉｎ  Ｓｃａｌａｂｉｌｉｔｙ）などの階層が想定されており、映像品質とはこれらの情報の種類や度合いといったバリエーションによって規定される映像の特性である。
なお、本実施形態では、映像データが、Ｈ．２６４／ＳＶＣで符号化された映像データである場合について説明したが、映像データはＨ．２６４／ＳＶＣのように階層型のスケーラブル符号化方式で符号化されたものに限らない。映像データは非階層型のスケーラブル符号化方式で符号化されたものであってもよい。
【符号の説明】
【００３０】
１０２  チューナ部
１０８  受信Ｃ／Ｎ比検出部
１１０  選局ＣＰＵ部
【図１】
2011244308.tif 000003
【図２】
2011244308.tif 000004
【図３】
2011244308.tif 000005
【図４】
2011244308.tif 000006
【図５】
2011244308.tif 000007
【図６】
2011244308.tif 000008
【図７】
2011244308.tif 000009
【図８】
2011244308.tif 000010